(57)【要約】【課題】制動専用の部材を必要とすることなくカードの飛び出しを防止すること。【解決手段】ハウジング２における装着位置と排出位置との間でカード１００を移動するスライダ４と、スライダ４に保持され、カード１００の挿入に伴ってカード１００と係合する係合部４４１を有するロックばね４４とを備えたカード用コネクタ装置１において、ハウジング２に設けた突起部２６に、ロックばね４４の付勢部４４２を摺動させて付勢力を受ける摺動面２６１を設け、この摺動面２６１をスライダ４の排出方向への移動に伴ってロックばね４４からの付勢力を高める形状としたことを特徴とする。【選択図】図１１
2011192527.tif 000002
【特許請求の範囲】
【請求項１】
カードを収納するハウジングと、前記ハウジングにおける装着位置と排出位置との間でカードを移動するスライダと、前記スライダを排出方向に付勢する付勢部材と、前記スライダに保持され、カードの挿入に伴って当該カードと係合する係合部を有するばね部材とを備えるカード用コネクタ装置であって、
前記ハウジングの一部に、前記ばね部材の一部を摺動させて付勢力を受ける摺動面であって、前記スライダの排出方向への移動に伴って前記ばね部材からの付勢力を高める形状を有する摺動面を設けたことを特徴とするカード用コネクタ装置。
【請求項２】
前記ハウジングの一部に、前記装着位置と前記排出位置とをカードが移動する過程で前記係合部がカードから離間する方向への前記ばね部材の変位を規制する一方、前記排出位置で前記係合部がカードから離間する方向への前記ばね部材の変位を許容する規制面を設け、当該規制面を前記摺動面と対応する位置に配設したことを特徴とする請求項１記載のカード用コネクタ装置。
【請求項３】
前記摺動面及び規制面を前記ハウジングに設けた共通の突起部に形成したことを特徴とする請求項２記載のカード用コネクタ装置。
【請求項４】
前記突起部を前記スライダの移動領域内に設けたことを特徴とする請求項３記載のカード用コネクタ装置。
【請求項５】
前記ばね部材をＵ字形状とし、前記突起部の前記摺動面及び規制面を挟み込むことを特徴とする請求項３又は請求項４記載のカード用コネクタ装置。
【発明の詳細な説明】
【技術分野】
【０００１】
本発明は、カード用コネクタ装置に関し、特に、携帯電話機等の電子機器においてチップカードやＩＣメモリカード等のカードを基板に電気的に接続するためのカード用コネクタ装置に関する。
【背景技術】
【０００２】
従来、ハウジングとスライダとの間であってカード挿入口側に形成された空間に、スライダを排出方向とは反対方向に付勢して制動する弾性部材を設け、この弾性部材の付勢力によりスライダの排出時におけるカードの飛び出しを防止するカード用コネクタ装置が提案されている（例えば、特許文献１参照）。
【先行技術文献】
【特許文献】
【０００３】
【特許文献１】特許第４２６８０５９号公報
【発明の概要】
【発明が解決しようとする課題】
【０００４】
しかしながら、上述したカード用コネクタ装置においては、スライダの制動専用の部材（弾性部材）をカードの排出方向に設ける必要があることから、制動専用の部材のためのコスト及び当該部材を組み込むための作業に起因して安価にカード用コネクタ装置を製造することの阻害する要因の１つとなっている。また、この制動専用の部材の収容スペースを確保することに起因してカード用コネクタ装置の小型化を阻害する要因と１つとなっている。
【０００５】
本発明は、このような問題点に鑑みてなされたものであり、制動専用の部材を必要とすることなくカードの飛び出しを防止することができるカード用コネクタ装置を提供することを目的とする。
【課題を解決するための手段】
【０００６】
本発明のカード用コネクタ装置は、カードを収納するハウジングと、前記ハウジングにおける装着位置と排出位置との間でカードを移動するスライダと、前記スライダを排出方向に付勢する付勢部材と、前記スライダに保持され、カードの挿入に伴って当該カードと係合する係合部を有するばね部材とを備えるカード用コネクタ装置であって、前記ハウジングの一部に、前記ばね部材の一部を摺動させて付勢力を受ける摺動面であって、前記スライダの排出方向への移動に伴って前記ばね部材からの付勢力を高める形状を有する摺動面を設けたことを特徴とする。
【０００７】
上記カード用コネクタによれば、ハウジングの一部に、カードとの係合部を有するばね部材の一部を摺動させて付勢力を受ける摺動面を設け、この摺動面をスライダの排出方向への移動に伴ってばね部材からの付勢力を高める形状としたことから、カードとの係合部を有するばね部材とハウジングの一部とによって、排出方向への移動に伴ってスライダに制動力を付与することができるので、カードとの係合部を有するばね部材を制動部材として兼用することができ、制動専用の部材を必要とすることなくカードの飛び出しを防止することが可能となる。
【０００８】
上記カード用コネクタ装置においては、前記ハウジングの一部に、前記装着位置と前記排出位置とをカードが移動する過程で前記係合部がカードから離間する方向への前記ばね部材の変位を規制する一方、前記排出位置で前記係合部がカードから離間する方向への前記ばね部材の変位を許容する規制面を設け、当該規制面を前記摺動面と対応する位置に配設することが好ましい。この場合には、カードの位置に応じてばね部材の変位を許容または規制する規制面を摺動面と対応する位置に配設したことから、摺動面に対するばね部材の接触位置に合わせてばね部材とカードとの係合及びその解除を連動させることができるので、不所望にばね部材とカードとの係合が解除される事態を防止することが可能となる。
【０００９】
特に、上記カード用コネクタ装置においては、前記摺動面及び規制面を前記ハウジングに設けた共通の突起部に形成することが好ましい。この場合には、ハウンジグに設けた共通の突起部に摺動面及び規制面が形成されていることから、スライダの制動機能と、カードの係合及びその解除機能とを単一の部材に持たせることができるので、ハウジングの構成を簡素化することが可能となる。
【００１０】
また、上記カード用コネクタ装置においては、前記突起部を前記スライダの移動領域内に設けることが好ましい。この場合には、スライダの移動領域内に摺動面及び規制面を有する突起部が設けられることから、カード用コネクタ装置内にこの突起部を配置する空間を別途設ける必要がなくなるので、カード用コネクタ装置を小型化することが可能となる。
【００１１】
さらに、上記カード用コネクタ装置においては、前記ばね部材をＵ字形状とし、前記突起部の前記摺動面及び規制面を挟み込むことが好ましい。この場合には、Ｕ字形状を有するばね部材で摺動面及び規制面を挟み込むようにしたことから、ばね部材の構成を簡素化すると共に、当該ばね部材を収容する空間を省スペース化することが可能となる。
【発明の効果】
【００１２】
本発明によれば、ハウジングの一部に、カードとの係合部を有するばね部材の一部を摺動させて付勢力を受ける摺動面を設け、この摺動面をスライダの排出方向への移動に伴ってばね部材からの付勢力を高める形状としたことから、カードとの係合部を有するばね部材とハウジングの一部とによって、排出方向への移動に伴ってスライダに制動力を付与することができるので、制動専用の部材を必要とすることなくカードの飛び出しを防止することが可能となる。
【図面の簡単な説明】
【００１３】
【図１】本発明の一実施の形態に係るカード用コネクタ装置に装着されるカードの側面図（ａ）及び下面図（ｂ）である。
【図２】上記実施の形態に係るカード用コネクタ装置の斜視図である。
【図３】図２に示すカード用コネクタ装置の上面図である。
【図４】図２に示すカード用コネクタ装置から排出機構を取り除いた状態の斜視図である。
【図５】図４に示すカード用コネクタ装置の上面図である。
【図６】上記実施の形態に係るカード用コネクタ装置が有するスライダの上面図（ａ）及び下面図（ｂ）である。
【図７】上記実施の形態に係るカード用コネクタ装置において、カードが排出位置に配置された状態の上面図である。
【図８】上記実施の形態に係るカード用コネクタ装置において、カードが排出位置から装着位置に移動する過程の状態の上面図である。
【図９】上記実施の形態に係るカード用コネクタ装置において、カードが装着位置に配置された状態の上面図である。
【図１０】上記実施の形態に係るカード用コネクタ装置において、カードが排出位置から引き抜かれる状態の上面図である。
【図１１】図７〜図１０に示す状態のカード用コネクタ装置における突起部近傍の拡大図である。
【発明を実施するための形態】
【００１４】
以下、本発明の一実施の形態について添付図面を参照して詳細に説明する。本発明に係るカード用コネクタ装置（以下、単に「コネクタ」という）においては、装着されるカードの一部と係合し、排出時にカードの飛び出しを防止するものである。本実施の形態に係るコネクタの構成について説明する前に、コネクタに装着されるカードについて説明する。
【００１５】
図１（ａ）、（ｂ）は、それぞれ本発明の実施の形態に係るコネクタに装着されるカード１００の側面図及び下面図である。図１（ａ）、（ｂ）に示すように、カード１００は、概して平板形状を有する絶縁樹脂製の本体部１０１と、この本体部１０１の挿入方向側（図１に示す上方側）の下面に、コネクタが有するコンタクト端子が接触可能な複数のパッド部１０２とが設けられている。本体部１０１の一方側（図１（ａ）に示す紙面手前側、図１（ｂ）に示す左方側）の側面の中央近傍には、コネクタが有するロックばねの係止部と係合する凹部１０３が設けられている。また、凹部１０３が設けられた側面の挿入方向側先端部には、コネクタが有するスライダの一部を収容する凹部１０４が設けられている。このようなカード１００は、コネクタに装着された場合にコンタクト端子がパッド部１０２に接触した状態とされ、コネクタを搭載する装置（例えば、携帯電話装置）とカード１００との間で情報交換することが可能となる。
【００１６】
図２及び図３は、本実施の形態に係るコネクタ１の斜視図及び上面図である。なお、図２及び図３においては、説明の便宜上、コネクタ１が有するカバー部材を省略している。以下においては、適宜、コネクタ１における図２に示す紙面左上方側及び図３に示す上方側を「コネクタ１の前方側」又は単に「前方側」と呼び、図２に示す紙面右下方側及び図３に示す下方側を「コネクタ１の後方側」又は単に「後方側」と呼ぶものとする。
【００１７】
図２に示すように、本実施の形態に係るコネクタ１は、合成樹脂材料などの絶縁材料を成形して形成されるハウジング２と、金属薄板材料に打ち抜き加工及び折り曲げ加工などを施して形成される不図示のカバー部材とを備えている。ハウジング２は、概して上方側及び後方側に開口した扁平の箱形状を有しており、カバー部材は、ハウジング２の上方側に取り付けられた状態でハウジング２との間に一定の空間を形成する形状を有している。このカバー部材がハウジング２に取り付けられることで、コネクタ１の後方側にカード挿入口が形成されると共に、ハウジング２内にカード１００が収納される収納部が形成される。
【００１８】
ハウジング２は、図２及び図３に示すように、コネクタ１の底面部を構成するベース部２１と、コネクタ１の側端部において、このベース部２１から上方側に垂直に立設された側壁部２２とを有している。ベース部２１の前方側には、コネクタ１に装着されたカード１００のパッド部１０２に接触する複数のコンタクト端子２３がコネクタ１の左右方向に並設されている。コンタクト端子２３は、前方側の基端部がベース部２１にインサート成形等により埋設され、後方側に延出する先端部の一部でカード１００のパッド部１０２に弾接可能に構成されている。
【００１９】
また、右方側の側壁部２２の近傍には、ハウジング２（収納部）に装着されているカード１００を排出する排出機構３が配設されている。排出機構３は、挿入及び排出動作に伴ってカード１００を装着位置と排出位置との間で移動するスライダ４と、このスライダ４をカード１００の排出方向（コネクタ１の後方側）に付勢する付勢部材としての付勢ばね５と、付勢ばね５の付勢力に抗してスライダ４を所定のロック位置にロックするロック機構とから構成されている。このロック機構は、スライダ４の上面に形成されたカム溝６と、このカム溝６と係合する係合ピン７とから構成されている。
【００２０】
スライダ４は、一端がハウジング２の前壁部２４に係止された付勢ばね５の他端を係止した状態で配設されている。このスライダ４の上面に形成されたカム溝６には、一端（後端）が右方側の側壁部２２の後端部近傍に形成された保持孔２５に回動可能に保持された係合ピン７の他端（前端）が係合する。排出機構３においては、付勢ばね５の付勢力によりカード１００の排出方向に付勢されるスライダ４の移動を係合ピン７とカム溝６との係合に応じて規制するように構成されている。
【００２１】
図４及び図５は、それぞれ図２に示すコネクタ１から排出機構３を取り除いた状態の斜視図及び上面図である。図４及び図５に示すように、排出機構３が対応するベース部２１の底面には、側壁部２２の中央付近まで突出する突起部２６が設けられている。突起部２６は、ベース部２１の後方側寄りの位置に設けられ、後述するスライダ４の移動領域内に配置されている。なお、突起部２６は、ハウジング２の一部として構成され、ハウジング２の成形時に同時に成形される。
【００２２】
突起部２６は、上面視にて概して長方形状を有し、コネクタ１の前後方向に延伸して設けられている。突起部２６における右方側の側壁部２２側の側面は、後述するロックばね４４の一部が摺動する摺動面２６１を構成する。一方、摺動面２６１の反対側の側面（左方側の側壁部２２側の側面）は、ロックばね４４の所定位置における変位を規制する規制面２６２を構成する。摺動面２６１の前部に対し中央部近傍は、後方側に向けて右方側の側壁部２２側に僅かにせり出す傾斜面部２６３が設けられている。また、摺動面２６１における傾斜面部２６３の後方側には、平面部２６４が設けられている。すなわち、摺動面２６１に対して規制面２６２は、前部、中央部、後部の順に摺動面２６１から離れる方向に幅広に形成されている。
【００２３】
ここで、本実施の形態に係るコネクタ１が有するスライダ４の構成について図６を参照しながら説明する。図６（ａ）、（ｂ）は、それぞれ本実施の形態に係るコネクタ１が有するスライダ４の上面図及び下面図である。スライダ４は、例えば、合成樹脂材料などの絶縁材料を成形して形成され、コネクタ１の前後方向に延伸する基部４１と、この基部４１の前方側端部から左方側に延伸する腕部４２とを有し、概してＬ字形状を有している。基部４１の上面における後端部近傍には、上述したカム溝６が形成されている。なお、このカム溝６の構成については後述する。また、基部４１の下面には、上述した突起部２６を収容する収容部４３が設けられている。収容部４３は、コネクタ１の前後方向に延在する一定の空間で構成され、その側方側が開放されている。
【００２４】
また、収容部４３には、カード１００の凹部１０３とその一部で係合するロックばね４４が保持されている。ロックばね４４は、ばね部材を構成するものであり、概してコネクタ１の後方側に開放したＵ字形状を有しており、その前端部に設けられた折り曲げ部４４ａで収容部４３に固定されている。後方側に延出するロックばね４４の一方の自由端には、カード１００の凹部１０３と係合する係合部４４１が設けられている。また、ロックばね４４の他方の自由端には、突起部２６の摺動面２６１を摺動して付勢力を付与する付勢部４４２が設けられている。係合部４４１及び付勢部４４２が設けられた双方の自由端は、互いに対向した状態に配置されている。
【００２５】
係合部４４１は、カード１００の凹部１０３に係合するフック形状部４４１ａと、このフック形状部４４１ａの後端部に連続して設けられた当接部４４１ｂとを有している。当接部４４１ｂは、突起部２６の規制面２６２と平行に配置される平板形状を有し、係合部４４１の基端部に連結される腕部４４ｂよりもスライダ４の内側の位置にて、コネクタ１の前後方向に延伸して設けられている（カード１００が未装着である初期状態）。付勢部４４２は、その基端部に連結される腕部４４ｃからスライダ４の外側に延出するように設けられている。これらの係合部４４１及び付勢部４４２は、収容部４３の開放部から外側に露出可能に構成されている。
【００２６】
基部４１に設けられたカム溝６の中央領域には、概してハート形状を有するハート型カム６１が設けられている。カム溝６は、ハート型カム６１の周囲で係合ピン７の前端部を一方向に案内するループ状に形成されるものであり、ハート型カム６１の図６（ａ）に示す右方側に配置される第１ガイド溝６２、左方側に配置される第２ガイド溝６３、並びに、第１及び第２ガイド溝６２、６３の後方側端部に連結され、カード１００がロックされる時に係合ピン７の前端部が位置する停止部を有する凹み溝６４で構成されている。このようなカム溝６に係合する係合ピン７の前端部は、カード１００の挿入動作に伴って初期位置（図３に示す位置）から第１ガイド溝６２に沿って案内され、凹み溝６４の停止部に配置された状態でロック状態とされる（すなわち、凹み溝６４の停止部における停止位置がロック位置とされる）。また、ロック状態からのカード１００の排出動作に伴って凹み溝６４の停止部から出て、第２ガイド溝６３に沿って案内される。
【００２７】
次に、本実施の形態に係るコネクタ１におけるカード１００の装着及び排出動作について説明する。図７〜図１０は、本実施の形態に係るコネクタ１におけるカード１００の装着及び排出動作について説明するための上面図である。図７においては、カード１００が排出位置に配置された状態を示し、図８においては、カード１００が排出位置から装着位置に移動する過程の状態を示している。また、図９においては、カード１００が装着位置に配置された状態を示し、図１０においては、カード１００が排出位置から引き抜かれる状態を示している。
【００２８】
コネクタ１に対してカード１００が挿入されていない初期状態において、スライダ４は、図７に示すように、付勢ばね５の付勢力に応じてハウジング２の後端部に配置された状態となっている。この場合、係合ピン７の前端部は、カム溝６の前方側に配置された状態となっている。初期状態のコネクタ１に対してカード１００が挿入されると、その過程でスライダ４に保持されたロックばね４４の係合部４４１がカード１００の凹部１０３に係合すると共に、腕部４２がカード１００の凹部１０４の後壁部に当接した状態となる。これ以降、カード１００は、スライダ４と一緒に移動することとなる。このとき、カード１００は、図７に示す排出位置に配置された状態となっている。
【００２９】
図７に示す状態からカード１００を前方側に押し込むと、付勢ばね５の付勢力に抗してスライダ４がカード１００と共に前方側に移動する。この場合、係合ピン７の前端部は、スライダ４の移動に伴ってカム溝６の第１ガイド溝６２を後方側に向かってトレースしていく。このとき、カード１００は、図８に示す位置に配置された状態となっている。
【００３０】
図８に示す状態からカード１００をハウジング２の最前部まで押し込んだ後、その押し込んだ手を離すと、付勢ばね５の付勢力に応じてスライダ４が後方側に移動する。係合ピン７の前端部は、スライダ４が後方側に移動する際、第１ガイド溝６２から凹み溝６４に移行し、その停止部で係止された状態となる。このとき、カード１００は、図９に示す装着位置（ロック位置）に配置された状態となっている。カード１００が装着位置に配置されると、コンタクト端子２３がパッド部１０２に接触した状態とされる。
【００３１】
図９に示す状態からカード１００を更に前方に押し込むと、付勢ばね５の付勢力に抗してスライダ４がカード１００と共に僅かに前方側に移動する。この場合、係合ピン７の前端部は、凹み溝６４から第２ガイド溝６３に移行し、この第２ガイド溝６３を前方側に向かってトレースいていく。そして、付勢ばね５の付勢力に応じてスライダ４がハウジング２の後端部まで移動すると、図７に示す排出位置に配置された状態に復帰することとなる。
【００３２】
図７に示す状態からカード１００が後方側に引っ張られると、カード１００の凹部１０３に対するロックばね４４の係合部４４１の係合が解除される。これにより、カード１００をコネクタ１から引き抜くことが可能となる。図１０においては、排出位置に配置されたカード１００が後方側に引っ張られた状態について示している。
【００３３】
ここで、図７〜図１０に示す状態のコネクタ１における突起部２６２とロックばね４４との関係について説明する。図１１（ａ）〜（ｄ）は、図７〜図１０に示す状態のコネクタ１における突起部２６２の近傍の拡大図である。なお、図１１（ａ）〜（ｄ）においては、説明の便宜上、スライダ４及び係合ピン７について省略している。
【００３４】
カード１００が排出位置に配置された状態において、ロックばね４４は、図１１（ａ）に示すように、係合部４４１のフック形状部４４１ａがカード１００の凹部１０３に係合した状態となっている。また、付勢部４４２に連結される腕部４４ｃの後端部近傍が突起部２６の摺動面２６１における平面部２６４に当接した状態となっている。この場合、付勢部４４２は、その先端部（後端部）で右方側の側壁部２２の内壁面に当接した状態となっている。なお、係合部４４１に連結される腕部４４ｂは、突起部２６の規制面２６２から離間した状態となっている。
【００３５】
カード１００が排出位置から装着位置に移動する過程の状態においては、図１１（ｂ）に示すように、腕部４４ｃの後端部近傍が、その復元力によって摺動面２６１に当接した状態となっている。カード１００が排出位置から装着位置に移動する際には、スライダ４の移動に伴ってロックばね４４も前方側に移動していることから、腕部４４ｃの後端部近傍が、平面部２６４から傾斜面部２６３に摺接しながら移動する。図１１（ｂ）においては、腕部４４ｃの後端部近傍が傾斜面部２６３に当接した状態を示している。なお、付勢部４４２の先端部は、右方側の側壁部２２から離間した状態となっている。
【００３６】
一方、ロックばね４４の腕部４４ｂにおいては、当接部４４１ｂが突起部２６の規制面２６２に当接（又は若干のクリアランスを挟んで対向）した状態となっている。カード１００が装着位置から排出位置に移動する過程の状態においては、このように当接部４４１ｂが規制面２６２に当接することにより、係合部４４１がカードから離間する方向への変位が規制されている。このため、この状態においては、カード１００に対する係合部４４１による係合を確実に維持することができるものとなっている。
【００３７】
なお、図１１（ｂ）においては、カード１００が排出位置から装着位置に移動する過程の状態について示しているが、カード１００が装着位置から排出位置に移動する過程の状態についても、突起部２６とロックばね４４との関係は同様の状態となる。なお、この場合には、腕部４４ｃの後端部近傍が、摺動面２６１の前部、傾斜面部２６３及び平面部２６４に摺接しながら移動することとなる。
【００３８】
カード１００が装着位置に配置された状態においては、図１１（ｃ）に示すように、腕部４４ｃが摺動面２６１よりもコネクタ１の前方側の位置に移動しており、これに連結される付勢部４４２が右方側の側壁部２２から離間した状態を維持している。また、係合部４４１は、その当接部４４１ｂが規制面２６２に当接（又は若干のクリアランスを挟んで対向）した状態を維持している。したがって、この状態においても、カード１００に対する係合部４４１による係合を確実に維持することができるものとなっている。
【００３９】
カード１００が排出位置から引き抜かれる状態においては、図１１（ｄ）に示すように、係合部４４１のフック形状部４４１ａがコネクタ１の右方側に退避した状態となっている。このようにカード１００が排出位置に配置された状態においては、当接部４４１ｂが規制面２６２よりも後方側に配置され、係合部４４１がカードから離間する方向への変位が許容されている。なお、腕部４４ｃ及びこれに連結される付勢部４４２の状態は、図１１（ａ）に示す状態を維持している。すなわち、腕部４４ｃの後端部近傍が平面部２６４に当接し、付勢部４４２の先端部が右方側の側壁部２２の内壁面に当接した状態となっている。
【００４０】
このような構成を有するコネクタ１において、装着位置に装着されたカード１００を排出する際には、付勢ばね５の付勢力に応じてスライダ４がコネクタ１の後方側に押し出される。このようにスライダ４が押し出される過程において、突起部２６及びロックばね４４は、図１１（ｃ）に示す状態から図１１（ｂ）に示す状態に移行する。この場合、腕部４４ｃの後端部近傍は、まず摺動面２６１の前部に接触した状態となる。そして、スライド４の排出方向（コネクタ１の後方側）への移動に伴って傾斜面部２６３及び平面部２６４に摺接しながら移動することとなる。
【００４１】
突起部２６の傾斜面部２６３は、コネクタ１の後方側に向けて右方側の側壁部２２側にせり出すように構成されていることから、摺動面２６１に対する腕部４４ｃ（ロックばね４４）がばねの蓄力が増す方向に移動するので、その付勢力は、スライダ４の排出方向への移動に伴って徐々に高まっていく。本実施の形態に係るコネクタ１においては、このようにロックばね４４の腕部４４ｃを、ハウジング２の一部を構成する突起部２６の摺動面２６１に付勢することにより、スライダ４に制動力を付与することができるものとなっている。
【００４２】
このように本実施の形態に係るコネクタ１においては、ハウジング２の一部を構成する突起部２６に、ロックばね４４の付勢部４４２を摺動させて付勢力を受ける摺動面２６１を設け、この摺動面２６１をスライダ４の排出方向への移動に伴ってロックばね４４の付勢部４４２からの付勢力を高める形状としたことから、カード１００との係合部４４１を有するロックばね４４と突起部２６とによって、排出方向への移動に伴ってスライダ４に制動力を付与することができるので、カード１００の抜けを防止するロックばね４４を制動部材と兼用することができ、制動専用の部材を必要とすることなくカード１００の飛び出しを防止することが可能となる。
【００４３】
また、本実施の形態に係るコネクタ１においては、突起部２６に、装着位置と排出位置とをカード１００が移動する過程で係合部４４１がカード１００から離間する方向へのロックばね４４の変位を規制する一方、排出位置で係合部４４１がカード１００から離間する方向へロックばね４４の変位を許容する規制面２６２を設け、この規制面２６２を摺動面２６１と対応する位置に配設している。このようにカード１００の位置に応じてロックばね４４の変位を許容または規制する規制面２６２を摺動面２６１と対応する位置に配設したことから、摺動面２６１に対するロックばね４４の接触位置に合わせてロックばね４４とカード１０との係合及びその解除を連動させることができるので、不所望にロックばね４４とカード１００との係合が解除される事態を防止することが可能となる。
【００４４】
特に、本実施の形態に係るコネクタ１においては、ハウンジグ２に設けた突起部２６に摺動面２６１及び規制面２６２を形成していることから、スライダ４の制動機能と、カード１００の係合及びその解除機能とを単一の部材に持たせることができるので、ハウジング２の構成を簡素化することが可能となる。
【００４５】
また、本実施の形態に係るコネクタ１においては、摺動面２６１及び規制面２６２を有する突起部２６をスライダ４のスライダ４の移動領域内に設けていることから、コネクタ１内にこの突起部２６を配置する空間を別途設ける必要がなくなるので、コネクタ１を小型化することが可能となる。
【００４６】
さらに、本実施の形態に係るコネクタ１においては、ロックばね４４をＵ字形状とし、突起部２６に形成した摺動面２６１及び規制面２６２を挟み込むようにしたことから、ロックばね４４の構成を簡素化すると共に、当該ロックばね４４を収容する空間を省スペース化することが可能となる。
【００４７】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４８】
例えば、上記実施の形態においては、突起部２６の摺動面２６１に傾斜面部２６３を設けることで、摺動面２６１を、スライダ４の排出方向への移動に伴ってロックばね４４からの付勢力を高める形状としているが、摺動面２６１の形状については、これに限定されるものではなく適宜変更が可能である。スライダ４の排出方向への移動に伴ってロックばね４４からの付勢力を高めることを条件として、任意の形状を採用することが可能である。
【００４９】
また、上記実施の形態においては、突起部２６にスライダ４の位置に応じてロックばね４４の変位を許容または規制する規制面２６２を設ける場合について説明しているが、規制面２６２が設けられるハウジング２の位置については、これに限定されるものではなく適宜変更が可能である。スライダ４の位置に応じてロックばね４４の変位を許容または規制することを条件として、任意のハウジング２の位置に設けることが可能である。
【００５０】
さらに、上記実施の形態においては、摺動面２６１及び規制面２６２を共通する突起部２６に設ける場合について説明しているが、摺動面２６１及び規制面２６２が設けられるハウジング２の位置については、これに限定されるものではなく適宜変更が可能である。上記実施の形態において奏する機能を確保することができれば、摺動面２６１及び規制面２６２をそれぞれハウジング２の異なる位置に設けても良い。また、ハウジング２を蓋閉するカバーに突起部２６を形成するようにしても良い。また、ロック機構を、スライダ４に形成されたカム溝６と、ハウジング２に保持された係合ピン７で形成する場合について説明しているが、ハウジング２にカム溝を設け、スライダ４に係合ピン７を保持させるようにしても良い。
【００５１】
さらに、上記実施の形態においては、突起部２６をスライダ４の移動領域内に設ける場合について説明しているが、突起部２６が設けられるハウジング２の位置については、これに限定されるものではなく適宜変更が可能である。上記実施の形態において奏する機能を確保することができれば、スライダ４の移動領域外に設けるようにしても良い。
【００５２】
さらに、上記実施の形態においては、ロックばね４４をＵ字形状とする場合について説明しているが、ロックばね４４の形状については、これに限定されるものではなく適宜変更が可能である。上記実施の形態において奏する機能を確保することを条件として、Ｕ字形状に類似する形状を含む任意の形状とすることが可能である。
【符号の説明】
【００５３】
１  カード用コネクタ装置（コネクタ）
２  ハウジング
２１  ベース部
２２  側壁部
２３  コンタクト端子
２４  前壁部
２５  保持孔
２６  突起部
２６１  摺動面
２６２  規制面
２６３  傾斜面部
２６４  平面部
３  排出機構
４  スライダ
４１  基部
４２  腕部
４３  収容部
４４  ロックばね
４４ａ  折り曲げ部
４４ｂ、４４ｃ  腕部
４４１  係合部
４４１ａ  フック形状部
４４１ｂ  当接部
４４２  付勢部
５  付勢ばね
６  カム溝
６１  ハート型カム
６２  第１ガイド溝
６３  第２ガイド溝
６４  凹み溝
７  係合ピン
１００  カード
１０１  本体部
１０２  パッド部
１０３、１０４  凹部
【図１】
2011192527.tif 000003
【図２】
2011192527.tif 000004
【図３】
2011192527.tif 000005
【図４】
2011192527.tif 000006
【図５】
2011192527.tif 000007
【図６】
2011192527.tif 000008
【図７】
2011192527.tif 000009
【図８】
2011192527.tif 000010
【図９】
2011192527.tif 000011
【図１０】
2011192527.tif 000012
【図１１】
2011192527.tif 000013